【手続補正書】
【提出日】平成19年3月5日(2007.3.5)
【手続補正１】
【補正対象書類名】明細書
【補正対象項目名】発明の名称
【補正方法】変更
【補正の内容】
【発明の名称】放送受信装置及びその制御方法
【手続補正２】
【補正対象書類名】明細書
【補正対象項目名】特許請求の範囲
【補正方法】変更
【補正の内容】
【特許請求の範囲】
【請求項１】  第１のチャンネルにおいて放送中の番組を、前記第１のチャンネルから第２のチャンネルでの放送に変更するイベントリレー放送を受信可能な放送受信装置であって、
放送波を受信する受信手段と、
前記受信手段で受信した放送波から、イベントリレーに関する情報と番組の属性情報とを少なくとも含むデータを取得する取得手段と、
視聴者の過去の視聴履歴に関するデータを管理する視聴履歴管理手段と、
視聴中の第１のチャンネルにおいて、イベントリレー放送が発生するか否かを、前記取得手段で取得したイベントリレーに関する情報から判定する判定手段と、
前記判定手段によってイベントリレー放送が発生すると判定された場合に、前記第１のチャンネルにおける次の番組及び第２のチャンネルに変更される視聴中の番組の属性情報と、前記視聴履歴管理手段で管理された視聴履歴に関するデータとに基づいて、前記第１のチャンネルで放送される前記次の番組及び前記第２のチャンネルで放送される視聴中の番組の少なくとも一方の番組を表示部に表示する際の表示形態を決定する制御手段と、
を有することを特徴とする放送受信装置。
【請求項２】  前記制御手段は、イベントリレーによるチャンネルの変更が発生する前に、イベントリレー後の表示形態を視聴者が決定可能なように表示部に表示することを特徴とする請求項１に記載の放送受信装置。
【請求項３】  前記制御手段は、前記次の番組及び前記第２のチャンネルで放送される視聴中の番組の属性情報と、前記視聴履歴管理手段で管理された視聴履歴に関するデータとに基づいて、前記次の番組及び前記視聴中の番組に対する視聴者の嗜好度合いを判定し、前記嗜好度合いに応じてイベントリレー後の表示形態を決定することを特徴とする請求項１または２に記載の放送受信装置。
【請求項４】  前記制御手段は、前記嗜好度合いに応じて、前記少なくとも一方の番組を記録部に記録するための制御を行うことを特徴とする請求項３に記載の放送受信装置。
【請求項５】  第１のチャンネルにおいて放送中の番組を、前記第１のチャンネルから第２のチャンネルでの放送に変更するイベントリレー放送を受信可能な放送受信装置の制御方法であって、
放送波を受信する受信工程と、
前記受信工程で受信した放送波から、イベントリレーに関する情報と番組の属性情報とを少なくとも含むデータを取得する取得工程と、
視聴者の過去の視聴履歴に関するデータを管理する視聴履歴管理工程と、
視聴中の第１のチャンネルにおいて、イベントリレー放送が発生するか否かを、前記取得工程で取得したイベントリレーに関する情報から判定する判定工程と、
前記判定工程によってイベントリレー放送が発生すると判定された場合に、前記第１のチャンネルにおける次の番組及び第２のチャンネルに変更される視聴中の番組の属性情報と、前記視聴履歴管理工程で管理された視聴履歴に関するデータとに基づいて、前記第１のチャンネルで放送される前記次の番組及び前記第２のチャンネルで放送される視聴中の番組の少なくとも一方の番組を表示部に表示する際の表示形態を決定する制御工程と、
を有することを特徴とする放送受信装置の制御方法。
【請求項６】  前記制御工程では、イベントリレーによるチャンネルの変更が発生する前に、イベントリレー後の表示形態を視聴者が決定可能なように表示部に表示することを特徴とする請求項５に記載の放送受信装置の制御方法。
【請求項７】  前記制御工程では、前記次の番組及び前記第２のチャンネルで放送される視聴中の番組の属性情報と、前記視聴履歴管理工程で管理された視聴履歴に関するデータとに基づいて、前記次の番組及び前記視聴中の番組に対する視聴者の嗜好度合いを判定し、前記嗜好度合いに応じてイベントリレー後の表示形態を決定することを特徴とする請求項５または６に記載の放送受信装置の制御方法。
【請求項８】  前記制御工程では、前記嗜好度合いに応じて、前記少なくとも一方の番組を記録部に記録するための制御を行うことを特徴とする請求項７に記載の放送受信装置の制御方法。
【手続補正３】
【補正対象書類名】明細書
【補正対象項目名】０００１
【補正方法】変更
【補正の内容】
【０００１】
【発明の属する技術分野】
本発明は、放送受信装置及びその制御方法に関する。
【手続補正４】
【補正対象書類名】明細書
【補正対象項目名】０００８
【補正方法】変更
【補正の内容】
【０００８】
そこで、本発明は、イベントリレーを行う際、視聴者の迷いや操作にかかる負荷・時間を軽減することができる放送受信装置及びその制御方法を提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明の放送受信装置は、第１のチャンネルにおいて放送中の番組を、前記第１のチャンネルから第２のチャンネルでの放送に変更するイベントリレー放送を受信可能な放送受信装置であって、放送波を受信する受信手段と、前記受信手段で受信した放送波から、イベントリレーに関する情報と番組の属性情報とを少なくとも含むデータを取得する取得手段と、視聴者の過去の視聴履歴に関するデータを管理する視聴履歴管理手段と、視聴中の第１のチャンネルにおいて、イベントリレー放送が発生するか否かを、前記取得手段で取得したイベントリレーに関する情報から判定する判定手段と、前記判定手段によってイベントリレー放送が発生すると判定された場合に、前記第１のチャンネルにおける次の番組及び第２のチャンネルに変更される視聴中の番組の属性情報と、前記視聴履歴管理手段で管理された視聴履歴に関するデータとに基づいて、前記第１のチャンネルで放送される前記次の番組及び前記第２のチャンネルで放送される視聴中の番組の少なくとも一方の番組を表示部に表示する際の表示形態を決定する制御手段と、を有することを特徴とする。
【手続補正６】
【補正対象書類名】明細書
【補正対象項目名】００１０
【補正方法】変更
【補正の内容】
【００１０】
本発明の放送受信装置の制御方法は、第１のチャンネルにおいて放送中の番組を、前記第１のチャンネルから第２のチャンネルでの放送に変更するイベントリレー放送を受信可能な放送受信装置の制御方法であって、放送波を受信する受信工程と、前記受信工程で受信した放送波から、イベントリレーに関する情報と番組の属性情報とを少なくとも含むデータを取得する取得工程と、視聴者の過去の視聴履歴に関するデータを管理する視聴履歴管理工程と、視聴中の第１のチャンネルにおいて、イベントリレー放送が発生するか否かを、前記取得工程で取得したイベントリレーに関する情報から判定する判定工程と、前記判定工程によってイベントリレー放送が発生すると判定された場合に、前記第１のチャンネルにおける次の番組及び第２のチャンネルに変更される視聴中の番組の属性情報と、前記視聴履歴管理工程で管理された視聴履歴に関するデータとに基づいて、前記第１のチャンネルで放送される前記次の番組及び前記第２のチャンネルで放送される視聴中の番組の少なくとも一方の番組を表示部に表示する際の表示形態を決定する制御工程と、を有することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
【発明の実施の形態】
本発明の放送受信装置及びその制御方法の実施の形態について図面を参照しながら説明する。本実施形態の放送受信装置は、マルチウィンドウ制御機能を実現するデジタルＴＶ放送受信機に適用される。
【手続補正１１】
【補正対象書類名】明細書
【補正対象項目名】０１０４
【補正方法】変更
【補正の内容】
【０１０４】
【発明の効果】
本発明によれば、イベントリレーを行う際、視聴者の迷いや操作にかかる負荷・時間を軽減することができる。